(57)【特許請求の範囲】
【請求項１】
偶数フィールドと奇数フィールドからなるインターレース方式の画像信号を表示するためのアクティブマトリックス型液晶表示装置であって、
マトリックス状に配列した画素と各画素に接続したスイッチ手段とを有する画像表示部、前記スイッチ手段を駆動しながら前記画素をラインごとに選択して一画面の走査を行う行駆動回路、及び前記走査に同期して、選択されたラインの画素に信号を書き込む列駆動回路を含む液晶パネルと、
前記画像表示部の背面に、前記画像表示部が遮光壁により行方向に分割された複数の表示領域ごとに点灯可能な複数のランプを有する光源と、を備え、
前記行駆動回路が、１フィールド期間に渡って全てのラインを順次選択し、
前記列駆動回路が、偶数フィールドにおいて、偶数ラインが選択された時はそのラインの画素に画像信号を出力する一方、奇数ラインが選択された時はそのラインの画素に消去信号を出力し、奇数フィールドにおいて、奇数ラインが選択された時はそのラインの画素に画像信号を出力する一方、偶数ラインが選択された時はそのラインの画素に消去信号を出力し、
前記光源の点滅により、偶数フィールド及び奇数フィールドの各々において、分割された各表示領域内のラインの画素に対する画像信号出力の直前の所定期間のみ一回前の画像信号出力の時点から一定時間遅延させることにより当該表示領域を照明することを特徴とするアクティブマトリックス型液晶表示装置。
【請求項２】
偶数フィールドと奇数フィールドからなるインターレース方式の画像信号を表示するためのアクティブマトリックス型液晶表示装置であって、
マトリックス状に配列した画素と各画素に接続したスイッチ手段とを有する画像表示部、前記スイッチ手段を駆動しながら前記画素をラインごとに選択して一画面の走査を行う行駆動回路、及び前記走査に同期して、選択されたラインの画素に信号を書き込む列駆動回路を含む液晶パネルと、
前記画像表示部とその背面側の光源との間において、前記画像表示部が行方向に分割された複数の表示領域ごとに開閉可能なシャッタと、を備え、
前記行駆動回路が、１フィールド期間に渡って全てのラインを順次選択し、
前記列駆動回路が、偶数フィールドにおいて、偶数ラインが選択された時はそのラインの画素に画像信号を出力する一方、奇数ラインが選択された時はそのラインの画素に消去信号を出力し、奇数フィールドにおいて、奇数ラインが選択された時はそのラインの画素に画像信号を出力する一方、偶数ラインが選択された時はそのラインの画素に消去信号を出力し、
前記シャッタの開閉により、偶数フィールド及び奇数フィールドの各々において、分割された各表示領域内のラインの画素に対する画像信号出力の直前の所定期間のみ一回前の画像信号出力の時点から一定時間遅延させることにより当該表示領域を照明することを特徴とするアクティブマトリックス型液晶表示装置。
【請求項３】
前記列駆動回路が、画像信号供給源及び消去信号供給源に切換え可能に接続しており、前記行駆動回路によるライン選択に同期して、画像信号供給源及び消去信号供給線への接続を１ライン毎に交互に切換えることを特徴とする請求項１又は２に記載のアクティブマトリックス型液晶表示装置。
【請求項４】
前記消去信号が、黒階調信号であることを特徴とする請求項１又は２に記載のアクティブマトリックス型液晶表示装置。
【請求項５】
前記消去信号が、中間調信号であることを特徴とする請求項１又は２に記載のアクティブマトリックス型液晶表示装置。
【発明の詳細な説明】
【０００１】
【発明の属する技術分野】
本発明は、アクティブマトリックス型液晶表示装置に関し、詳細には、インターレース方式のテレビジョン信号を表示するアクティブマトリックス型液晶表示装置における動画品質の向上に関する。
【０００２】
【従来の技術】
液晶表示装置（以下、ＬＣＤ）は、高精細、低消費電力、省スペースといった特徴を有しており、コンピュータモニタやテレビジョン表示装置等の様々な用途において全面的に陰極線管（以下、ＣＲＴ）に代替することが期待されている。しかし、ＬＣＤは、ＣＲＴに比べて動画表示における画質が十分でないことから、動画品質の向上が求められており、特に、テレビジョン表示装置への応用に際しては、現行のテレビジョン信号に基づく動画を高画質に表示できることが必要となる。
【０００３】
ＬＣＤの動画表示における問題点は、主に以下の点にあるとされている。まず、図６（ａ）に示すように、黒い背景中を白い物体５０がある方向に移動する画面を表示する場合、ＬＣＤでは、図６（ｂ）に示すように観視者に物体５０の輪郭がぼけて知覚される「動きぼけ」が発生する。また、図６（ｃ）に示すように移動前の物体の残像５１が知覚される「ゴースト」も発生する。
【０００４】
こうした動画表示上の問題は、一つには、信号に対する液晶の応答時間が長いことに起因する。現在一般に用いられているツイステッドネマチック型（以下、ＴＮ型）やスーパ・スイステッド・ネマチック型（以下、ＳＴＮ型）のＬＣＤにおいては、液晶に電界を印加してから液晶分子の配列が変化して所望の光透過率に達するまでの電気光学応答時間が、一般的なテレビジョン信号のフィールド周期である１６．７ｍｓｅｃよりも数倍長いため、１フィールド期間内に動き部分の光学応答が完了しない。このため、液晶の光学応答の遅れが、「動きぼけ」や「ゴースト」として視認されてしまう。
【０００５】
また、ＬＣＤが、次のフレームの画像情報に書き換えられるまで発光を続けるホールド型であることも、動画に対する表示品質が低い原因であるとされている。ＬＣＤとして多く用いられている薄膜トランジスタ型（以下、ＴＦＴ型）ＬＣＤは、液晶に電界を印加することにより蓄えられた電荷が次に電界を印加するまで比較的高い割合で保持される。このため、図７（ａ）に示すように、ＬＣＤの各画素は次のフレームの画像情報に基づく電界印加により書き換えられるまで発光を続ける。一方、電子ビームを走査して蛍光体を発光させて表示を行うＣＲＴ表示装置においては、図７（ｂ）に示すように、各画素の発光は概ねインパルス状となる。したがって、ＬＣＤは、ＣＲＴに比べて画像表示光の時間周波数特性が低く、それに伴い空間周波数特性も低下して観視画像のぼけを生じる。
【０００６】
ＬＣＤの動画表示における画質を向上するため、バックライトを分割して駆動することが、例えば特開平１１−２０２２８６号公報に開示されている。図８は、その装置構成を示すブロック図である。液晶パネルの背面に配置されたバックライト５４を複数の発光領域５４ａ〜５４ｄに分割し、対応する領域の液晶パネルの画像書きこみ操作に対して一定の時間遅延を持たせながら、各発光領域５４ａ〜５４ｄにある放電ランプ５６を点灯制御回路６０によって順次発光させる。
【０００７】
図９は、このような液晶表示装置における、液晶の光学応答とバックライト発光タイミングの関係を示すタイミング図である。図９において、上段は液晶への書き込み電圧、中段は液晶の光学応答、下段はバックライトの発光タイミングを示す。現行のテレビジョン信号であるインターレース信号を表示する場合を例に説明する。インターレース信号を表示する場合、１フレーム（＝１画面）の表示期間を偶数フィールドと奇数フィールドに分け、偶数フィールドに偶数行（２ｎ行、ｎは正の整数）のみを走査し、奇数フィールドに奇数行（（２ｎ＋１）行）のみを走査する。
【０００８】
まず、偶数フィールドにおいて、黒信号から白信号に書き換えられた２ｎ行目の画素の液晶光学応答６４は、書き換え直後のフィールド期間中に輝度が大きく増加し、その後、数フィールドをかけて完全な白表示となる。続く奇数フィールドにおいて、黒信号から白信号に書き換えられた（２ｎ+１）行目の画素の液晶光学応答６５は、１フィールド期間（約１６ｍｓｅｃ）ずれて２ｎ行目の画素と同様の挙動を示す。
【０００９】
バックライトは、図９の下段に示すように、偶数フィールド及び奇数フィールドの各々において、画像信号の書き換えから一定の遅延時間が経過した後の所定期間にのみ点灯する。これにより、液晶光学応答の変化の途中経過が観視者にあまり見えず、また、各画素の発光がインパルス状に近くなるため、動画表示における画質が向上する。
【００１０】
【発明が解決しようとする課題】
しかし、上記従来の液晶表示装置では、前述の動画表示における問題点のうち、「動画ぼけ」は改善されるものの、「ゴースト」を十分に消すことができない。図６（ｃ）に示すように、ゴーストが生じる原因は、黒画像から白画像に書き換えられる領域５２と白画像から白画像に書き換えられる領域５３との間に、液晶応答時間の違いに基づくコントラスト差が生じることにある。しかし、一般的なＴＮ型液晶の応答時間はフィールド期間よりも数倍長いため、図９に示すように、黒画像から白画像に書き換えられる領域５２に対応する液晶光学応答６４と、白画像から白画像に書き換えられる領域５３に対応する液晶光学応答６６との間には、バックライトが点灯する期間においても輝度差が存在する。この輝度差が完全に解消するのは、書き換えを行ってから数フィールド後である。したがって、バックライトの点灯期間をいくら短く制限しても、ゴーストが残ってしまう。
【００１１】
そこで、本発明は、応答速度の遅いＴＮ型液晶等を用いてもゴーストを除去することができ、インターレース方式テレビジョン信号に基づいて高画質な動画表示が可能なアクティブマトリックス型液晶表示装置を提供することを目的とする。
【００１２】
【課題を解決するための手段】
上記目的を達成するために本発明の液晶表示装置は、偶数フィールドと奇数フィールドからなるインターレース方式の画像信号を表示するためのアクティブマトリックス型液晶表示装置であって、偶数フィールドにおいて、偶数ラインの画素に画像信号を書き込む一方、奇数ラインの画素に各画素の電位を揃えるための消去信号を書き込み、奇数フィールドにおいて、奇数ラインの画素に画像信号を書き込む一方、偶数ラインの画素に消去信号を書き込むことを特徴とする。
【００１３】
画像信号の書き込みを行う前に、その前のフィールドの画像情報を消去するため、各画素の光学応答時間を前フレームの表示画像に依らず均一化することができる。例えば、前フレームで黒表示を行っていた画素と白表示を行っていた画素とを同じフレームにおいて新たな階調に書き換える場合に、いずれの画素も偶数又は奇数フィールドにおいて同じ消去信号電位に揃えられた後に次のフィールドで階調信号に書き換えられるため、液晶応答の相違による画素間の輝度差を殆どなくすことができる。したがって、「ゴースト」を除去することができる。
【００１４】
また、上記動作を行うため、本発明の液晶表示装置は、マトリックス状に配列した画素と各画素に接続したスイッチ手段とを有する画像表示部と、前記スイッチ手段を駆動しながら前記画素をラインごとに選択して一画面の走査を行う行駆動回路と、前記走査に同期して、選択されたラインの画素に信号を書き込む列駆動回路とを備え、前記行駆動回路が、１フィールド期間に渡って全てのラインを順次選択し、前記列駆動回路が、偶数フィールドにおいて、偶数ラインが選択された時は画像信号を出力する一方、奇数ラインが選択された時は消去信号を出力し、奇数フィールドにおいて、奇数ラインが選択された時は画像信号を出力する一方、偶数ラインが選択された時は消去信号を出力することを特徴とする。
【００１５】
即ち、この液晶表示装置は、一般的なプログレッシブ駆動を行いながら、インターレース方式の画像信号と消去信号をライン毎に交互にソース信号線に出力することにより、消去信号の書き込みを行うものである。したがって、従来のアクティブマトリックス液晶表示装置の回路構成に大きな変更を加えることなく、消去信号の書き込みを行うことができる。
【００１６】
インターレース方式の画像信号と消去信号を交互に出力するには、例えば、前記列駆動回路を、画像信号供給源及び消去信号供給源に切換え可能に接続し、前記行駆動回路によるライン選択に同期して、画像信号供給源及び消去信号供給線への接続を１ライン毎に交互に切換れば良い。
【００１７】
各画素に書き込む消去信号は、黒階調信号であることが好ましい。一般的なノーマリホワイト駆動のＴＮ型液晶表示素子の場合、白階調から黒階調への変化の方が、その逆の変化よりも液晶の応答速度が速くなるためである。液晶の応答が速い程、消去信号を書き込んだ時に液晶の状態が早く安定する。
【００１８】
また、消去信号を、黒階調信号ではなく中間調信号としても良い。この時、消去信号を書き込んだ時の液晶の応答速度はやや遅くなるが、消去中のラインの輝度が画面の平均輝度に相当する輝度となるため、消去信号を書き込むことによる画面輝度の低下を防止することができる。
【００１９】
また、さらに動画品質を向上するため、本発明のアクティブマトリックス液晶表示装置は、前記画像表示部の背面に、前記画像表示部を行方向に複数の表示領域に分割して照明可能な光源を備え、前記光源が、偶数フィールド及び奇数フィールドの各々において、分割された各表示領域内のラインの画素に対する画像信号出力の直前の所定期間のみ一回前の画像信号出力の時点から一定時間遅延させることにより当該表示領域を照明することを特徴とする。
【００２０】
画像信号の書き込み前に全画素の電位が消去信号の電位に揃えられ、画像信号の書き込み後の液晶の応答が安定した期間にのみ照明が行われるため、「ゴースト」がさらに抑制される。また、照明期間が制限されている結果インパルス型の発光状態となっているため、「動きぼけ」のないシャープな画像が得られる。
【００２１】
複数の表示領域に分割して照明するためには、遮光壁により行方向に分割された複数の表示領域ごとに点灯可能な複数の放電ランプを有する光源を用いることができる。
【００２２】
また、これに代えて、前記画像表示部とその背面側の光源との間において、前記画像表示部が行方向に分割された複数の表示領域ごとに開閉可能なシャッタを用いても良い。
【００２３】
【発明の実施の形態】
実施の形態１．
図１は、本発明の実施の形態１に係る液晶表示装置を示すブロック図である。液晶表示装置２０は、画像表示部２３と、垂直駆動回路（＝行駆動回路）２４、水平駆動回路（＝列駆動回路）３０から成り、画像表示部の背面に複数の放電ランプ３８から成るバックライトを備える。画像表示部２３には、画素がマトリックス状に配列され、各画素に薄膜トランジスタ（以下、ＴＦＴ）等のスイッチング素子が接続されている。尚、図１において、画素及びＴＦＴは省略している。
【００２４】
垂直駆動回路２４は、各ラインのＴＦＴゲート電極にゲート配線を介して接続したゲートドライバ１０と、ゲートドライバ１０にタイミング信号を送る制御回路１２を備え、外部から供給される同期信号に基づいて、各ＴＦＴをラインごとに駆動しながら一画面の走査を行う。水平駆動回路３０は、制御回路１２からタイミング信号を受信して駆動するソースドライバ８を備え、水平駆動回路３０によって選択されたラインの画素に信号を書き込む。
【００２５】
水平駆動回路３０には、インターレース方式の画像信号１６と、画素に保持された画像信号を消去して各画素の電位を消去するための消去信号１８が供給されている。水平駆動回路３０内には、信号切換え回路１４が設けられており、ソースドライバ８への入力を画像信号１６と消去信号１８の間で切換えるようになっている。消去信号１８は、例えば、画像信号の最大電圧レベル以上の電圧レベルを有する黒表示信号とする。一般に、ＴＮ液晶の応答速度は、高い電圧を印加された場合に速いため、消去信号を電圧レベルの高い黒表示信号とすれば前画像の消去に有利であるからである。また、前の電圧印加の状態が黒レベルであれば、コントラストの低下も抑制されるという利点もある。
【００２６】
液晶表示装置２０は、外部から供給されたインターレース方式の画像信号１６を表示するが、インターレース方式の画像信号１６は、１フレームが偶数フィールドと奇数フィールドに分かれており、偶数フィールドの信号には偶数ラインの画素に書き込む画像情報が含まれ、奇数フィールドの信号には奇数ラインの画素に書き込む画像情報が含まれている。したがって、一般的な液晶表示装置によってインターレース方式の画像信号を表示する場合には、偶数フィールドには偶数ラインのみを走査し、奇数フィールドには奇数ラインのみを走査する飛び越し走査を行う。
【００２７】
しかし、本実施の形態の液晶表示装置２０は、偶数フィールド及び奇数フィールドのいずれにおいても全てのラインを線順次に走査する順次走査を行い、１ラインごとに画像信号の書き込みと消去信号の書き込みを交互に行う。画像信号及び消去信号の交互書き込みは、信号切換え回路１４が、１ラインごとに画像信号１６と消去信号１８の間を交互に切換えることにより行うことができる。
【００２８】
図２は、液晶表示装置２０の動作の概略を示すタイミング図である。図２の上段に示すように、偶数フィールドにおいては、偶数（＝２ｎ）ラインが選択された時は画像信号を書き込む一方、奇数（＝２ｎ＋１）ラインが選択された時は消去信号を書き込む。また、奇数フィールドにおいては、奇数ラインが選択された時は画像信号を書き込む一方、偶数ラインが選択された時は消去信号を書き込む。
【００２９】
こうして画像信号及び消去信号を書き込むことにより、液晶の光学応答は図２の中段に示すようになる。２ｎ行目にある偶数ラインの液晶光学応答４は、偶数フィールドにおいて書き込まれた画像信号に応じて階調が変化し、続く奇数フィールドにおいて書きこまれた画像信号が消去されて黒表示となり、この動作をフィールド毎に交互に繰り返す。一方、（２ｎ＋１）行目にある奇数ラインの液晶光学応答５は、これとは逆に、偶数フィールドにおいて前の画像消去信号が消去されて黒表示となり、続く奇数フィールドにおいて書き込まれた画像信号に応じて階調が変化する。
【００３０】
このように、画像信号の書き込みを行う前に、画像情報を消去して均一な黒表示とするため、各画素の光学応答時間を前フレームの表示画像に依らず均一化することができる。例えば、前フレームで黒表示を行っていた画素と白表示を行っていた画素を同時に別の階調に書き換えた場合であっても、いずれの画素も一旦黒表示となった後に、次の階調信号が書き込まれるため、液晶応答の相違による輝度差を殆ど生じない。したがって、「ゴースト」を殆どなくすことができる。
【００３１】
また、本実施の形態においては、さらに「ゴースト」を抑制し、また「動きぼけ」をも併せて抑制するため、図２の下段に示すように、各フィールドにおいて画像信号の書き込みから一定の遅延時間が経過した後にバックライトの点灯を行う。
【００３２】
図１に示すように、画像表示領域２３は画素のライン方向に８つの表示ブロックＢ１〜Ｂ８に分割されており、各表示領域ごとに放電ランプ３８が配置されている。放電ランプ３８は、制御回路１２からタイミング信号に従い、バックライト点灯回路４２によって順次点灯される。また、図３に示すように、バックライト３６の中に配置された放電ランプ３８は、隣の表示ブロックに光が漏れないように、遮光壁４０によって互いに隔てられている。なお、放電ランプ３８は表示ブロック毎に複数本設けて輝度アップを図ることができる。
【００３３】
図４は、バックライトの点灯タイミングを示すタイミング図である。偶数フィールドを例に説明する。偶数フィールドにおいては、奇数ラインに消去信号を書き込み、偶数ラインに画像信号を書き込みながら、画像表示部の１行目から線順次に走査される。画像表示部をライン方向に８つの表示ブロックＢ１〜Ｂ８に分けると、１つの表示ブロックは１フィールド期間の１／８である約２ｍｓｅｃをかけて走査される。
【００３４】
表示ブロックＢ１に注目して説明する。表示ブロックＢ１を照明する放電ランプ１は、表示ブロックＢ１が走査期間ｔ1中に走査された後、５ブロック分の走査期間に等しい遅延期間ｔ2をおいて、２ブロック分の走査期間に等しい点灯期間ｔ3の間点灯する。表示ブロックＢ２〜Ｂ８を照明する放電ランプは、１ブロック分の走査期間ずつ遅延しながら同様の動作を行う。また、奇数フィールドにおいても、偶数ラインに消去信号を書き込み、奇数ラインに画像信号を書き込むことの他は、偶数フィールドと同様の動作となる。
【００３５】
こうして駆動された液晶表示装置においては、画像信号の書き込み前に全画素の電位が消去信号の電位に揃えられ、画像信号の書き込み後の液晶の応答がある程度安定した期間にのみバックライトが点灯するため、「ゴースト」がさらに抑制される。また、バックライトの点灯期間が制限されている結果インパルス型の発光状態となっているため、「動きぼけ」のないシャープな画像が得られる。
【００３６】
尚、実施例において、各表示ブロックのバックライトの点灯時間は約４ｍｓｅｃであり、バックライトの点灯時間比率は約１／４である。バックライトの点灯時間比率は、上記遅延期間ｔ2を変化させることによって調節することができ、動画表示と画面輝度のバランスを考慮して適宜設定すれば良い。動画表示の観点からは、液晶の光学応答が安定してから発光するように点灯時間比率を小さく設定する方が好ましい一方、画面輝度の観点からは点灯時間比率を大きく設定する方が好ましい。
【００３７】
また、「ゴースト」の消去の観点からは、消去信号は黒信号であることが好ましく、その電圧Ｖhはできるだけ高い方が好ましい。一般的なノーマリホワイト駆動のＴＮ型液晶表示素子の場合、白階調から黒階調への変化の方がその逆の変化に比べて液晶の応答速度が速く、また、液晶表示素子一般に印加電圧が高い方が応答速度は速くなるためである。液晶の応答が速い程、消去信号を書き込んだ時に液晶の状態が素早く安定する。また、液晶中の不純物による焼きつき対策として、各画素に印加される消去信号の極性はフレーム毎に反転させることが好ましい。
【００３８】
また、消去信号を黒信号ではなく、中間調の信号としても良い。この時、消去信号を書き込んだ時の液晶の応答速度はやや遅くなるが、消去中のラインの輝度が画面の平均輝度に相当する輝度となるため、消去信号の書き込みよる画面輝度の低下を防止することができる。
【００３９】
本実施の形態においては、信号切換え回路によって画像信号と消去信号をライン毎に切換えることにより消去信号の書き込みを行ったが、消去信号の書き込み方法はこれに限られない。例えば、画像信号をソースドライバに供給する前に適当なプログラムによりデータ処理したり、フレーム数ずつメモリに蓄積するなどして、消去信号を合成した後にソースドライバに供給することにより、消去信号の書き込みを行っても良い。
【００４０】
実施の形態２．
実施の形態１においては、バックライト３６を分割点灯する場合について説明したが、本実施の形態においては、バックライトの前方に分割して開閉可能なシャッタを設けることにより、各表示ブロックを分割して照明する。
【００４１】
図５は、本実施の形態に係る液晶表示装置を示す模式図である。液晶パネル２２とバックライト３６の間にシャッタ４４が設けられている。シャッタ４４は、液晶パネル２２の表示ブロックごとに分割して開閉でき、外部からの同期信号に従って、シャッタ制御回路４６によって順次開閉される。各ブロックごとの開閉タイミングについては実施の形態１における放電ランプの点灯タイミングと同様である。
【００４２】
シャッタ４４には、例えば、階調表示には適さないが応答速度の速い強誘電液晶パネル等を用いることができる。表示ブロックごとに分割して開閉をさせるには、強誘電液晶パネルの電極を表示ブロックごとに分割して形成すれば良い。
【００４３】
尚、本実施の形態においては、液晶パネル２２がバックライトの光を透過させて表示を行う透過型について説明したが、液晶パネル２２が外光の反射により表示を行う反射型液晶パネルである場合には、液晶パネル２２の手前（観察側）にシャッタ４４を設けて同様の動作をさせれば良い。
【００４４】
また、上記実施の形態１及び２において、消去信号をソースドライバに供給する部分及び光源を分割駆動する部分を除けば、画像表示部、ソースドライバ、ゲートドライバ及び制御回路等の回路構成は、従来の一般的なプログレッシブ駆動アクティブマトリックス液晶表示装置と同様とすることができる。また、インターレース駆動を行う液晶表示装置と同様の回路構成を用いて、垂直シフトレジスタに与えるスタートパルスの周期を半分として、偶数行走査と奇数行走査のスタートパルスのタイミングを１ライン分ずらすことにより擬似的にプログレッシブ駆動を行っても良い。
【００４５】
【発明の効果】
本発明の液晶表示装置は、インターレス方式の画像信号の表示に際して、一方のフィールドにおいて画像信号の書き込みを行い、他方のフィールドにおいて画素の電位を一定電位に揃える消去信号を書き込むため、各画素の光学応答時間を前フレームの表示画像に依らず均一化し、「ゴースト」を除去することができる。
【００４６】
また、一般的なプログレッシブ駆動を行いながら、インターレース方式の画像信号と消去信号をライン毎に交互にソース信号線に出力することにより、消去信号の書き込みを行うため、従来のアクティブマトリックス液晶表示装置の回路構成に大きな変更を加えることなく、消去信号の書き込みを行うことができる。
【００４７】
さらに、水平駆動回路を、画像信号供給源及び消去信号供給源に切換え可能に接続し、画像信号供給源及び消去信号供給線への接続を１ライン毎に交互に切換えて消去信号の書き込みを行うことにより、簡易な回路構成によって消去信号の書き込みを行うことができる。
【００４８】
また、消去信号を黒階調信号とすることにより、消去信号を書き込んだ時の液晶の状態を素早く安定させて、ゴーストの消去効果を一層高めることができる。
【００４９】
また、消去信号を中間調信号とすることにより、消去中のラインの輝度を画面の平均輝度に相当する輝度として、消去信号を書き込むことによる画面輝度の低下を防止することができる。
【００５０】
さらに、画像表示部を行方向に複数の表示領域に分割して照明可能な光源を備え、分割された各表示領域の走査終了から遅延した所定期間だけ照明することにより、「ゴースト」を一層効果的に消去し、併せて「動きぼけ」も防止することができる。
【００５１】
遮光壁により行方向に分割された複数の表示領域ごとに点灯可能な複数の放電ランプを有する光源を用いることにより、従来の液晶表示装置と同様の構成によって分割照明を行うことができる。
【００５２】
また、画像表示部とその背面側の光源との間において、前記画像表示部が行方向に分割された複数の表示領域ごとに開閉可能なシャッタを用いることにより、放電ランプを順次点灯するよりも照明の動作を高速化することができる。
【図面の簡単な説明】
【図１】  図１は、本発明の実施の形態１に係る液晶表示装置を示すブロック図である。
【図２】  図２は、本発明の実施の形態１に係る液晶表示装置の動作の概略を示すタイミング図である。
【図３】  図３は、本発明の実施の形態１に係る液晶表示装置を示す側面図である。
【図４】  図４は、本発明の実施の形態１に係る液晶表示装置のバックライトの点灯タイミングを示すタイミング図である。
【図５】  図５は、本発明の実施の形態２に係る液晶表示装置を示す概略図である。
【図６】  図６（ａ）〜（ｃ）は、動画表示における画質異常の様子を示す模式図である。
【図７】  図７（ａ）及び（ｂ）は、ＴＦＴ−ＬＣＤ及びＣＲＴの発光信号を示す模式図である。
【図８】  図８は、従来の液晶表示装置の構成を示す概略図である。
【図９】  図９は、従来の液晶表示装置の動作を示すタイミング図である。
【符号の説明】
８  ソースドライバ、１０  ゲートドライバ、１２  制御回路、１４  信号切換え回路、１６  画像信号供給源、１８  消去信号供給源、２０  液晶表示装置、２２  液晶パネル、２３  画像表示部、２４  垂直駆動回路、３０  水平駆動回路、３６  バックライト。
【図１】
0004497651.tif 000002
【図２】
0004497651.tif 000003
【図３】
0004497651.tif 000004
【図４】
0004497651.tif 000005
【図５】
0004497651.tif 000006
【図６】
0004497651.tif 000007
【図７】
0004497651.tif 000008
【図８】
0004497651.tif 000009
【図９】
0004497651.tif 000010